【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
電池熱管理システムであって、
少なくとも１つの電池と、
前記少なくとも１つの電池と熱伝達を行う複数の熱電組立体であって、該各熱電組立体が、複数の熱電素子を有し、前記複数の熱電組立体の第１の熱電組立体が、前記複数の熱電組立体の第２の熱電組立体と電気通信を行う、複数の熱電組立体と、
前記第１の熱電組立体および前記第２の熱電組立体と電気通信を行う回路であって、前記第１の熱電組立体および前記第２の熱電組立体が、互いに直列に電気通信を行うか、または互いに並列に電気通信を行うかを、選択的に切り替え可能に構成された回路と、
を有する電池熱管理システム。
【請求項２】
前記第１の熱電組立体の前記複数の熱電素子のうち少なくともいくつかが、互いに直列に電気通信を行い、前記第２の熱電組立体の前記複数の熱電素子のうち少なくともいくつかが、互いに直列に電気通信を行う、請求項１に記載の電池熱管理システム。
【請求項３】
前記複数の熱電組立体が、前記少なくとも１つの電池を加熱または冷却するように選択的に動作可能である、請求項１に記載の電池熱管理システム。
【請求項４】
前記回路は、前記第１の熱電組立体と前記第２の熱電組立体とを流れる電流を調整するように選択的に切り替え可能である、請求項１に記載の電池熱管理システム。
【請求項５】
電池システムを熱管理する方法であって、
少なくとも１つの電池と、該少なくとも１つの電池と熱伝達を行う複数の熱電組立体と、を有する電池システムを準備することと、
前記電池システムの少なくとも１つのパラメータを測定することと、
前記少なくとも１つのパラメータに応じて、前記複数の熱電組立体の第１の熱電組立体を、前記複数の熱電組立体の第２の熱電組立体と並列に電気通信を行うか、または直列に電気通信を行うかのどちらかに切り替えることと、
を含む、電池システムを熱管理する方法。
【請求項６】
前記少なくとも１つのパラメータが、前記少なくとも１つの電池の温度を含む、請求項５に記載の方法。
【請求項７】
前記少なくとも１つのパラメータが、前記複数の熱電組立体の少なくとも１つの熱電組立体の温度を含む、請求項５に記載の方法。
【請求項８】
電池熱管理システムであって、
少なくとも１つの電池と、
前記少なくとも１つの電池と熱伝達を行う少なくとも１つの熱電装置と、
少なくとも１つの第１の導管であって、第１の作動流体が前記少なくとも１つの第１の導管内に流入して前記少なくとも１つの熱電装置と熱伝達を行えるように構成された少なくとも１つの流入口と、前記第１の作動流体が前記少なくとも１つの第１の導管から流出して前記少なくとも１つの熱電装置と熱伝達を行えないように構成された少なくとも１つの流出口と、を有する少なくとも１つの第１の導管と、
前記第１の作動流体を前記少なくとも１つの第１の導管の前記少なくとも１つの流入口へと移動させる少なくとも１つの第１の流量制御装置と、
前記第１の作動流体を前記少なくとも１つの第１の導管の前記少なくとも１つの流出口へと移動させる少なくとも１つの第２の流量制御装置と、
少なくとも１つの第２の導管であって、第２の作動流体が前記少なくとも１つの第２の導管内に流入して前記少なくとも１つの熱電装置と熱伝達を行えるように構成された少なくとも１つの流入口と、前記第２の作動流体が前記少なくとも１つの第２の導管から流出して前記少なくとも１つの熱電装置と熱伝達を行えないように構成された少なくとも１つの流出口と、を有する少なくとも１つの第２の導管と、
前記第２の作動流体を前記少なくとも１つの第２の導管の前記少なくとも１つの流入口へと移動させる少なくとも１つの第３の流量制御装置と、
前記第２の作動流体を前記少なくとも１つの第２の導管の前記少なくとも１つの流出口へと移動させる少なくとも１つの第４の流量制御装置と、
を有し、
前記少なくとも１つの第１の流量制御装置と前記少なくとも１つの第２の流量制御装置とがそれぞれ、互いに独立して動作可能であり、
前記少なくとも１つの第３の流量制御装置と前記少なくとも１つの第４の流量制御装置とがそれぞれ、互いに独立して動作可能である、
電池熱管理システム。
【請求項９】
前記第１の流量制御装置がファンを含む、請求項８に記載の電池熱管理システム。
【請求項１０】
前記第１の流量制御装置がポンプを含む、請求項８に記載の電池熱管理システム。
【請求項１１】
前記少なくとも１つの第１の流量制御装置が、前記少なくとも１つの流入口の入口部分に位置し、前記少なくとも１つの第２の流量制御装置が、前記少なくとも１つの流出口の出口部分に位置する、請求項８に記載の電池熱管理システム。
【請求項１２】
前記少なくとも１つの第１の流量制御装置は、前記第１の作動流体を前記少なくとも１つの流入口の中へと押し込むように構成され、前記少なくとも１つの第２の流量制御装置は、前記第１の作動流体を前記少なくとも１つの流出口から引き出すように構成されている、請求項８に記載の電池熱管理システム。
【請求項１３】
前記第１の作動流体が前記少なくとも１つの電池と熱伝達を行う、前記第１の作動流体用の流路をさらに有する、請求項８に記載の電池熱管理システム。
【請求項１４】
前記流路に、前記少なくとも１つの流出口から前記第１の作動流体が導入される、請求項１３に記載の電池熱管理システム。
【請求項１５】
電池熱管理システムであって、
少なくとも１つの電池と、
前記少なくとも１つの電池と熱伝達を行う少なくとも１つの熱電装置と、
少なくとも１つの第１の導管であって、第１の作動流体が前記少なくとも１つの第１の導管内に流入して前記少なくとも１つの熱電装置と熱伝達を行えるように構成された少なくとも１つの流入口と、前記第１の作動流体が前記少なくとも１つの第１の導管から流出して前記少なくとも１つの熱電装置と熱伝達を行えないように構成された少なくとも１つの流出口と、を有する少なくとも１つの第１の導管と、
前記第１の作動流体を前記少なくとも１つの第１の導管の前記少なくとも１つの流入口へと移動させる少なくとも２つの第１の流量制御装置と、
前記第１の作動流体を前記少なくとも１つの第１の導管の前記少なくとも１つの流出口へと移動させる少なくとも１つの第２の流量制御装置と、
前記少なくとも２つの第１の流量制御装置のうち選択された１つと、前記少なくとも１つの第１の導管との間を前記第１の作動流体が流れるのを阻止するように選択的に配置可能な少なくとも１つの仕切り部分と、
を有し、
前記少なくとも２つの第１の流量制御装置と前記少なくとも１つの第２の流量制御装置とがそれぞれ、互いに独立して動作可能であり、
前記少なくとも２つの第１の流量制御装置のそれぞれが、互いに独立して動作可能である、
電池熱管理システム。
【請求項１６】
前記第１の流量制御装置がファンを含む、請求項１５に記載の電池熱管理システム。
【請求項１７】
前記第１の流量制御装置がポンプを含む、請求項１５に記載の電池熱管理システム。
【請求項１８】
前記少なくとも２つの第１の流量制御装置が、前記少なくとも１つの流入口の入口部分に位置し、前記少なくとも１つの第２の流量制御装置が、前記少なくとも１つの流出口の出口部分に位置する、請求項１５に記載の電池熱管理システム。
【請求項１９】
前記少なくとも２つの第１の流量制御装置は、前記第１の作動流体を前記少なくとも１つの流入口の中へと押し込むように構成され、前記少なくとも１つの第２の流量制御装置は、前記第１の作動流体を前記少なくとも１つの流出口から引き出すように構成されている、請求項１５に記載の電池熱管理システム。
【請求項２０】
前記第１の作動流体が前記少なくとも１つの電池と熱伝達を行う、前記第１の作動流体用の流路をさらに有する、請求項１５に記載の電池熱管理システム。
【請求項２１】
前記流路に、前記少なくとも１つの流出口から前記第１の作動流体が導入される、請求項２０に記載の電池熱管理システム。
【請求項２２】
前記作動流体が、前記少なくとも１つの導管内を再循環する、請求項１５に記載の電池熱管理システム。
【請求項２３】
前記少なくとも１つの導管と流体接続された流体容器つまり流体源をさらに有する、請求項１５に記載の電池熱管理システム。
【請求項２４】
電池熱管理システムであって、
少なくとも１つの電池と、
前記少なくとも１つの電池と熱伝達を行う少なくとも１つの熱電装置と、
少なくとも１つの流体管であって、作動流体が該流体管内に流入するのを可能にするとともに、前記作動流体が前記少なくとも１つの熱電装置と熱伝達を行うか、または行わないように該作動流体を移動させるように構成された少なくとも１つの流体管と、
前記作動流体を前記少なくとも１つの流体管へと移動させる少なくとも１つの第１の流量制御装置と、
前記作動流体を前記少なくとも１つの流体管へと移動させる少なくとも１つの第２の流量制御装置であって、前記少なくとも１つの第１の流量制御装置と前記少なくとも１つの第２の流量制御装置とがそれぞれ、互いに独立して動作可能である、少なくとも１つの第２の流量制御装置と、
前記少なくとも１つの第１の流量制御装置および前記少なくとも１つの第２の流量制御装置のうち選択された１つと、前記少なくとも１つの流体管との間を前記作動流体が流れるのを阻止するように選択的に配置可能な少なくとも１つの仕切り部分と、
を有する、電池熱管理システム。
【請求項２５】
前記少なくとも１つの仕切り部分が、
前記少なくとも１つの流体管と前記少なくとも１つの第１の流量制御装置との間を前記作動流体が流れるのを許可するとともに、前記少なくとも１つの流体管と前記少なくとも１つの第２の流量制御装置との間を前記作動流体が流れるのを許可する第１の位置と、
前記少なくとも１つの流体管と前記少なくとも１つの第１の流量制御装置との間を前記作動流体が流れるのを許可するとともに、前記少なくとも１つの流体管と前記少なくとも１つの第２の流量制御装置との間を前記作動流体が流れるのを阻止する第２の位置と、
前記少なくとも１つの流体管と前記少なくとも１つの第１の流量制御装置との間を前記作動流体が流れるのを阻止するとともに、前記少なくとも１つの流体管と前記少なくとも１つの第２の流量制御装置との間を前記作動流体が流れるのを許可する第３の位置と、
を含む複数の位置に配置可能である、
請求項２４に記載の電池熱管理システム。
【請求項２６】
前記少なくとも１つの仕切り部分が、フラッパーバルブを含む、請求項２４に記載の電池熱管理システム。
【請求項２７】
電池システムを熱管理する方法であって、
少なくとも１つの電池と少なくとも１つの熱電装置との間で熱を移動させることと、
少なくとも１つの熱電装置と熱伝達を行う流体管に作動流体を流すことと、
少なくとも１つの第１の流量制御装置と少なくとも１つの第２の流量制御装置とを用いて、前記作動流体を前記流体管へと移動させることと、
前記少なくとも１つの第１の流量制御装置および前記少なくとも１つの第２の流量制御装置のうち選択された１つを通過する前記作動流体の流れを選択的に阻止することと、
を含む、電池システムを熱管理する方法。